(57)【要約】      （修正有）【課題】単に日を表示するのみではなく、容易に休みの日なのか、休みでない日なのかの識別でき、使用勝手が良好な万年カレンダーを提供する。【解決手段】万年カレンダーＡは、曜日を表示した七個の表示部と、 この表示部の下方に形成された少なくとも６個の凹所と、これに着脱自在に嵌め込まれ、日を表す１乃至３１の数字を表記した立方体形状又は直方体形状の日用駒とを有する。この３１個の日用駒の数字の表記は、少なくとも二面に休みの日と休みでない日を識別するために、数字の周囲の色を異ならせているか、又は、前記立方体形状又は直方体形状の六面の内の一面に休みの日と他の一面に休みでない日を識別するために色を異ならせて数字が表記され、月を表す１乃至１２の数字を表記した立方体形状又は直方体形状の少なくとも１２個の月用駒を嵌め込む。【選択図】    図１
2006218779.tif 000002
【特許請求の範囲】
【請求項１】
七個の曜日を表示した七個の表示部を備えたベースと、
この七個の表示部の曜日の下方のそれぞれに形成された少なくとも５個の凹所と、
この凹所に着脱自在に嵌め込まれ、１乃至３１の数字を表記した立方体形状又は直方体形状の少なくとも３１個の日用駒と、
前記数字の表記は、少なくとも、前記立方体形状又は直方体形状の二面に休みの日と休みでない日を識別するために前記数字の色は同じでも、前記数字の周囲の色を異ならせているか、又は、前記数字の表記は、少なくとも、前記立方体形状又は直方体形状の二面に休みの日と休みでない日を識別するために色を異ならせて数字が表記されている
ことを特徴とする万年カレンダー。
【請求項２】
七個の曜日を表示した七個の表示部を備えたベースと、
この七個の表示部の曜日の下方のそれぞれに形成された少なくとも６個の凹所と、
前記ベースに設けられた第１の凹所と、
前記凹所に着脱自在に嵌め込まれ、日を表す１乃至３１の数字を表記した立方体形状又は直方体形状の少なくとも３１個の日用駒と、
この３１個の日用駒の数字の表記は、少なくとも、前記立方体形状又は直方体形状の二面に休みの日と休みでない日を識別するために前記数字の色は同じでも、前記数字の周囲の色を異ならせているか、又は、前記３１個の日用駒の数字の表記は、少なくとも、前記立方体形状又は直方体形状の六面の内の一面に休みの日と他の一面に休みでない日を識別するために色を異ならせて数字が表記され、
月を表す１乃至１２の数字を表記した立方体形状又は直方体形状の少なくとも１２個の月用駒と、
この１２個の月用駒の数字の表記は、少なくとも、前記立方体形状又は直方体形状の六面の内の一面に月を表す数字と他の一面に月を表す数字が付されておらず、
前記１２個の月用駒の内の当該月に当たる一の月用駒は、前記第１の凹所に嵌め込まれ、残りの１１個の月用駒は、前記３１個の日用駒が嵌め込まれていない前記凹所に、月を表す数字が付されていない面が表になるように嵌め込まれている
ことを特徴とする万年カレンダー。
【発明の詳細な説明】
【技術分野】
【０００１】
本発明は、万年カレンダーに係り、特に、使用勝手の良好な万年カレンダーに関する。
【背景技術】
【０００２】
従来、ベースと駒（札）に面状ファスナーを固着して、駒（札）を着脱自在に取り付けて、月日の表示を行う万年カレンダーがある（例えば、特許文献１参照）。
【特許文献１】実開昭６２−１０４２７６号公報  （第２図）
【発明の開示】
【発明が解決しようとする課題】
【０００３】
しかしながら、上述した万年カレンダーにあっては、単に日を表示するのみで、該日が休みの日なのか、休みでない日なのかの識別が容易でなく、使用勝手が良好でないという問題がある。
本発明は、上記の問題を除去するようにした万年カレンダーを提供することを目的とする。
【課題を解決するための手段】
【０００４】
請求項１記載の万年カレンダーは、七個の曜日を表示した七個の表示部を備えたベースと、この七個の表示部の曜日の下方のそれぞれに形成された少なくとも５個の凹所と、この凹所に着脱自在に嵌め込まれ、１乃至３１の数字を表記した立方体形状又は直方体形状の少なくとも３１個の日用駒と、前記数字の表記は、少なくとも、前記立方体形状又は直方体形状の二面に休みの日と休みでない日を識別するために前記数字の色は同じでも、前記数字の周囲の色を異ならせているか、又は、前記数字の表記は、少なくとも、前記立方体形状又は直方体形状の二面に休みの日と休みでない日を識別するために色を異ならせて数字が表記されているものである。
【０００５】
また、請求項２記載の万年カレンダーは、七個の曜日を表示した七個の表示部を備えたベースと、この七個の表示部の曜日の下方のそれぞれに形成された少なくとも６個の凹所と、前記ベースに設けられた第１の凹所と、前記凹所に着脱自在に嵌め込まれ、日を表す１乃至３１の数字を表記した立方体形状又は直方体形状の少なくとも３１個の日用駒と、この３１個の日用駒の数字の表記は、少なくとも、前記立方体形状又は直方体形状の二面に休みの日と休みでない日を識別するために前記数字の色は同じでも、前記数字の周囲の色を異ならせているか、又は、前記３１個の日用駒の数字の表記は、少なくとも、前記立方体形状又は直方体形状の六面の内の一面に休みの日と他の一面に休みでない日を識別するために色を異ならせて数字が表記され、月を表す１乃至１２の数字を表記した立方体形状又は直方体形状の少なくとも１２個の月用駒と、この１２個の月用駒の数字の表記は、少なくとも、前記立方体形状又は直方体形状の六面の内の一面に月を表す数字と他の一面に月を表す数字が付されておらず、前記１２個の月用駒の内の当該月に当たる一の月用駒は、前記第１の凹所に嵌め込まれ、残りの１１個の月用駒は、前記３１個の日用駒が嵌め込まれていない前記凹所に、月を表す数字が付されていない面が表になるように嵌め込まれているものである。
【発明の効果】
【０００６】
請求項１記載の万年カレンダーによれば、月が変わる毎に、七個の表示部の曜日の下方に形成された３５個の凹所に、１乃至３１の数字を表記した３１個の日用駒を嵌め込むと共に、嵌め込む際、日用駒の面を変えることにより、休みの日と休みでない日を色分けして表示するため、見易く使用勝手の良好な万年カレンダーを得ることができる。
【０００７】
また、請求項２記載の万年カレンダーによれば、請求項１記載の発明の効果に加え、日のみならず月をも表示でき、更に、月、日が変わっても、３１個の日用駒と１２個の月用駒とを、月、日に応じて、４２個の凹所と１個の第１の凹所に嵌め込むことができる。
【発明を実施するための最良の形態】
【０００８】
本発明の一実施例を図面を参照して説明する。Ａは万年カレンダーで、万年カレンダーＡは、図１に示すように、概略的に、ベース１と、このベース１に設けられた凹所Ｓ１〜Ｓ６、Ｍ１〜Ｍ６（Ｍ２〜Ｍ４は、符号を付していないが、Ｍ２〜Ｍ４は、Ｍ１からＭ６に向かって順次形成された凹所である。）、Ｔ１〜Ｔ６（Ｔ２〜Ｔ４は、符号を付していないが、Ｔ２〜Ｔ４は、Ｔ１からＴ６に向かって順次形成された凹所である。）、Ｗ１〜Ｗ６（Ｗ２〜Ｗ４は、符号を付していないが、Ｗ２〜Ｗ４は、Ｗ１からＷ６に向かって順次形成された凹所である。）、ＴＨ１〜ＴＨ６（ＴＨ２〜ＴＨ４は、符号を付していないが、ＴＨ２〜ＴＨ４は、ＴＨ１からＴＨ６に向かって順次形成された凹所である。）、Ｆ１〜Ｆ６（Ｆ２〜Ｆ４は、符号を付していないが、Ｆ２〜Ｆ４は、Ｆ１からＦ６に向かって順次形成された凹所である。）、ＳＡ１〜ＳＡ６に着脱自在に取り付けられる３１個の日用駒Ｋ１〜Ｋ３１と、１２個の月用駒Ｇ１〜Ｇ１２とから構成されている。
これらベース１、日用駒Ｋ１〜Ｋ３１及び月用駒Ｇ１〜Ｇ１２は、共にＥＶＡ樹脂 （エチレン酢酸ビニール共重結合樹脂の略）で柔軟に形成されている。
【０００９】
ベース１は略矩形形状で、ベース１の上には万年カレンダーＡを他の部材（図示せず）に吊り下げる係止部１０、１０が設けられ、表面には、七個の曜日（ＳＵＮ、ＭＯＮ、ＴＵＥ、ＷＥＤ、ＴＨＵ、ＦＲＩ、ＳＡＴ）を表示した七個の表示部１１を備えている。該表示部１１の左上には月を表示する（例えば、ｍｏｎｔｈｓ）月表示部１２が設けられている。
この七個の表示部１２の曜日の下方のそれぞれに形成された６個の凹所、つまり、ＳＵＮの下方に６個の凹所Ｓ１〜Ｓ６、ＭＯＮの下方に６個の凹所Ｍ１〜Ｍ６、ＴＵＥの下方に６個の凹所Ｔ１〜Ｔ６、ＷＥＤの下方に６個の凹所Ｗ１〜Ｗ６、ＴＨＵの下方に６個の凹所ＴＨ１〜ＴＨ６、ＦＲＩの下方に６個の凹所Ｆ１〜Ｆ６、ＳＡＴの下方に６個の凹所ＳＡ１〜ＳＡ６が形成されている。また、月表示部１２の横であって表示部１１の上方に、第１の凹所Ｍが設けられている。
【００１０】
Ｋ１〜Ｋ３１（図１においては、Ｋ１、Ｋ７、Ｋ１４、Ｋ２１、Ｋ２８、Ｋ３１のみ符号を付し、他の日用駒の符号を省略している。）は、日を表す１乃至３１の数字を表記した直方体形状（又は立方体形状）の３１個の日用駒で、凹所Ｓ１〜Ｓ６、Ｍ１〜Ｍ６、Ｔ１〜Ｔ６、Ｗ１〜Ｗ６、ＴＨ１〜ＴＨ６、Ｆ１〜Ｆ６、ＳＡ１〜ＳＡ６に着脱自在に嵌め込まれるものである。
この３１個の日用駒の数字の表記は、直方体形状（又は立方体形状）の二面に休みの日と休みでない日を識別するために前記数字の色は同じでも、前記数字の周囲を異ならせている、例えば、図２に示すように、１５の数字を表す日用駒Ｋ１５において、休みの日のみ数字の周囲に斜線を施し、休みでない日は該斜線を施さないようにしている。また、数字の周囲に斜線を施している面と、該斜線を施さないようにしている面とは表裏の関係にある［図２（ａ）〜（ｃ）参照］。
なお、斜線の代わりに色で識別するようにしても良いし、更に、数字の表記の色のみを変えるように、例えば、休みでない日は黒で、休みの日は赤で表示するようにしても良い。
【００１１】
Ｇ１〜Ｇ１２（図１においては、Ｇ１、Ｇ１２のみ符号を付し、他の月用駒の符号を省略している。）は、月を表す１乃至１２の数字を表記した直方体形状（又は立方体形状）の１２個の月用駒で、この１２個の月用駒Ｇ１〜Ｇ１２の数字の表記は、直方体形状（又は立方体形状）の六面の内の一面に月を表す数字と他の一面に月を表す数字が付されておらず、例えば、図３に示すように、５の数字を表す月用駒Ｇ５において、六面の内の一面に月を表す５の数字を、他の一面は無模様（又は模様）となっている。そして、図４に示すように、２００５年３月においては、凹所Ｓ２〜Ｓ５、Ｍ２〜Ｍ５、Ｔ１〜Ｔ５、Ｗ１〜Ｗ５、ＴＨ１〜ＴＨ５、Ｆ１〜Ｆ４、ＳＡ１〜ＳＡ４に、３１個の日用駒Ｋ１〜Ｋ３１
を休みの日と休みでない日（２００５年３月の場合、５、６、１２、１３、１９、２０、２１、２６、２７が休日となっている。）を識別して填め込み、１２個の月用駒Ｇ１〜Ｇ１２の内の当該月に当たる一の月用駒（例えば、Ｇ３）を第１の凹所Ｍに嵌め込み、残りの１１個の月用駒Ｇ１、Ｇ２、Ｇ４〜Ｇ１２は、３１個の日用駒Ｋ１〜Ｋ３１が嵌め込まれていない凹所Ｓ１、Ｍ１、ＴＨ６、ＳＡ５、ＳＡ６、Ｓ６、Ｍ６、Ｔ６、Ｗ６に、月を表す数字が付されていない面が表になるように嵌め込むようにしている（図１、図２、図３、図４、図５、図７参照）。
なお、図８に示すように、２００５年４月においては、日用駒Ｇ３１が不要となるが、日用駒Ｇ３１は凹所ＴＨ１に嵌め込まれて２００５年３月３１日の表示として対応することができる。
上述した万年カレンダーＡにおいては、七個の表示部１１の曜日の下方のそれぞれに６個の凹所Ｓ１〜Ｓ６、Ｍ１〜Ｍ６、Ｔ１〜Ｔ６、Ｗ１〜Ｗ６、ＴＨ１〜ＴＨ６、Ｆ１〜Ｆ６、ＳＡ１〜ＳＡ６を設けたが、この凹所以外、図示しない凹所を適宜設けても良い。本発明にあっては、七個の表示部１１の曜日の下方のそれぞれに形成された少なくとも６個の凹所があれば良い。これに伴い、日用駒Ｋ１〜Ｋ３１も、少なくとも３１個あれば良く、月用駒Ｇ１〜Ｇ１２も、少なくとも１２個あれば良い。
また、上述した万年カレンダーＡにおいては、図６に示すように、万年カレンダーＡを他の部材（図示せず）に吊り下げる係止部１０、１０を設けたが、場合により省略しても良い。
【００１２】
なお、上述した万年カレンダーＡ（図１乃至図８）においては、月をも表示したが、場合により、月は省略し、日のみとすることもできる。
かかる場合においては、万年カレンダーＡは、図９に示すように、七個の曜日を表示した七個の表示部１１を備えたベース１と、この七個の表示部１１の曜日の下方のそれぞれに形成された少なくとも５個の凹所、つまり、ＳＵＮの下方に５個の凹所Ｓ１〜Ｓ５、ＭＯＮの下方に５個の凹所Ｍ１〜Ｍ５、ＴＵＥの下方に５個の凹所Ｔ１〜Ｔ５、ＷＥＤの下方に５個の凹所Ｗ１〜Ｗ５、ＴＨＵの下方に５個の凹所ＴＨ１〜ＴＨ５、ＦＲＩの下方に５個の凹所Ｆ１〜Ｆ５、ＳＡＴの下方に５個の凹所ＳＡ１〜ＳＡ５が形成されている。    また、この凹所Ｍ１〜Ｍ５、凹所Ｔ１〜Ｔ５、Ｗ１〜Ｗ５、ＴＨ１〜ＴＨ５、Ｆ１〜Ｆ５、Ａ１〜ＳＡ５に着脱自在に嵌め込まれ、１乃至３１の数字を表記した立方体形状又は直方体形状の少なくとも３１個の日用駒Ｋ１〜Ｋ３１が設けられている。
図９においては、凹所Ｓ１、Ｍ１、Ｔ１、Ｗ１は、日用駒Ｋ１〜Ｋ３１が嵌め込まれておらず、他の空所、例えば、凹所ＴＨ１に日用駒Ｋ３１が、凹所Ｆ１に日用駒Ｋ１が、凹所ＳＡ１に日用駒Ｋ２が、それぞれ嵌め込まれている。そして、上述した万年カレンダーＡ（図１乃至図８）と同様、日用駒Ｋ１〜Ｋ３１の数字の表記は、少なくとも、立方体形状又は直方体形状の二面に休みの日と休みでない日を識別するために前記数字の色は同じでも、前記数字の周囲の色を異ならせているか（図２参照）、又は、前記数字の表記は、少なくとも、前記立方体形状又は直方体形状の二面に休みの日と休みでない日を識別するために色を異ならせて数字が表記されているようにしても良い。
なお、本実施例においては、 図９において、上述した万年カレンダーＡ（図１乃至図８）と同一部分に同一符号を付してその説明を一部省略している。
【図面の簡単な説明】
【００１３】
【図１】図１は、本発明の一実施例の万年カレンダーの概略的構成図である。
【図２】図２（ａ）は、図１の日用駒の概略的正面図を示したもので、（ｂ）は図２（ａ）の日用駒の面と反対側の面を示したもので、（ｃ）は図２（ａ）の日用駒の概略的斜視図を示したものである。
【図３】図３（ａ）は、図１の月用駒の概略的正面図を示したもので、（ｂ）は図３（ａ）の月用駒の面と反対側の面を示したもので、（ｃ）は図３（ａ）の月用駒の概略的斜視図を示したものである。
【図４】図４は、図１の万年カレンダーを２００５年３に適用した場合の万年カレンダーの概略的正面図である。
【図５】図５は、図４のＸ−Ｘ線による概略的断面図である。
【図６】図６は、図４の万年カレンダーを裏面側から見た概略的斜視図である。
【図７】図７（ａ）は、図２の日用駒を凹所に入れる前の状態を示す概略的断面図で、（ｂ）は図２の日用駒を凹所に入れた状態を示す概略的断面図である。
【図８】図８は、図４の万年カレンダーを２００５年４月に適用した場合の万年カレンダーの概略的正面図である。
【図９】図９は、本発明の他の実施例の万年カレンダーの概略的正面図である。
【符号の説明】
【００１４】
Ａ      万年カレンダー
１      ベース
Ｓ１〜Ｓ６      凹所
Ｍ１〜Ｍ６      凹所
Ｔ１〜Ｔ６      凹所
Ｗ１〜Ｗ６      凹所
ＴＨ１〜ＴＨ６      凹所
Ｆ１〜Ｆ６      凹所
ＳＡ１〜ＳＡ６      凹所
Ｍ      第１の凹所
Ｋ１〜Ｋ３１      日用駒
Ｇ１〜Ｇ１２      月用駒
【図１】
2006218779.tif 000003
【図２】
2006218779.tif 000004
【図３】
2006218779.tif 000005
【図４】
2006218779.tif 000006
【図５】
2006218779.tif 000007
【図６】
2006218779.tif 000008
【図７】
2006218779.tif 000009
【図８】
2006218779.tif 000010
【図９】
2006218779.tif 000011